(57)【要約】本開示は、無線ＬＡＮ自動接続方法、無線ＬＡＮ自動接続装置、プログラム及び記録媒体に関し、自動接続の失敗率を降下し、ユーザへの迷惑を減少する。前記方法は、無線ＬＡＮ接続状態が未接続状態で、且つ第１の無線ＬＡＮを検出した場合、現在検出した周辺の無線ＬＡＮの名称に基づいて、第１の無線ＬＡＮリストを生成するステップと、前記第１の無線ＬＡＮリストと予め保存した、第２の無線ＬＡＮリストとをマッチングして比較し、マッチング比較結果を取得ステップと、前記マッチング比較結果が所定の条件を満たす場合、予め保存した前記第２の無線ＬＡＮの接続情報に基づいて、前記第１の無線ＬＡＮに接続の要求を送信するステップとを含む。本開示の技術方案は、同一の無線ＬＡＮであるか否かを判定する正確率を高め、自動接続の失敗率を降下し、ユーザへの迷惑を減少することができる。【選択図】図１
2016534624.tif 000002
【特許請求の範囲】
【請求項１】
無線ＬＡＮ接続状態が未接続状態であり、且つ記憶情報中に名称が同様である第２の無線ＬＡＮの接続情報が含まれている第１の無線ＬＡＮを検出した場合、現在検出した周辺の無線ＬＡＮの名称に基づいて、第１の無線ＬＡＮリストを生成するステップと、
前記第１の無線ＬＡＮリストと予め保存した第２の無線ＬＡＮの無線ＬＡＮリストである第２の無線ＬＡＮリストとをマッチングして比較し、マッチング比較結果を取得ステップと、
前記マッチング比較結果が所定の条件を満たす場合、予め保存した前記第２の無線ＬＡＮの接続情報に基づいて、前記第１の無線ＬＡＮに接続の要求を送信するステップとを含むことを特徴とする無線ＬＡＮ自動接続方法。
【請求項２】
前記第２の無線ＬＡＮリストを生成する方法は、
前記第２の無線ＬＡＮが接続状態である場合、現在周辺の無線ＬＡＮの名称を検索するステップと、
検出した周辺の無線ＬＡＮの名称に基づいて、前記第２の無線ＬＡＮに対応する第２の無線ＬＡＮリストを生成するステップとを含むことを特徴とする請求項１に記載の方法。
【請求項３】
さらに、前記第１の無線ＬＡＮに接続の要求を送信し接続が成功した後、前記第１の無線ＬＡＮリストに基づいて、前記第２の無線ＬＡＮリストを更新するステップを含むことを特徴とする請求項１に記載の方法。
【請求項４】
前記第１の無線ＬＡＮリストに基づいて、前記第２の無線ＬＡＮリストを更新するステップは、
前記第１の無線ＬＡＮリストにおいて、前記第２の無線ＬＡＮリストに含まれていない項目を、前記第２の無線ＬＡＮリストに追加するステップ、或いは、前記第２の無線ＬＡＮリストを前記第１の無線ＬＡＮリストへ置換するステップを含むことを特徴とする請求項３に記載の方法。
【請求項５】
さらに、前記マッチング比較結果が前記所定の条件を満たさない場合、前記第１の無線ＬＡＮリストを記憶するステップを含むことを特徴とする請求項１に記載の方法。
【請求項６】
少なくとも２つの前記第２の無線ＬＡＮのマッチング比較結果が前記所定の条件を満たす場合、前記予め保存した前記第２の無線ＬＡＮの接続情報に基づいて、前記第１の無線ＬＡＮに接続の要求を送信するステップは、
前記第２の無線ＬＡＮの接続情報の各々を逐一に利用して、接続が成功になるまで、或いはすべての前記接続情報が利用されるまで、前記第１の無線ＬＡＮに接続の要求を送信するステップ、或いは、
マッチング比較結果の大きさの順に従って、少なくとも２つの前記第２の無線ＬＡＮに対して順番を付け、前記第２の無線ＬＡＮの接続情報の各々を逐一に利用して、接続が成功になるまで、或いはすべての前記接続情報が利用されるまで、前記第１の無線ＬＡＮに接続の要求を送信するステップを含むことを特徴とする請求項１に記載の方法。
【請求項７】
前記第１の無線ＬＡＮリストと予め保存した第２の無線ＬＡＮリストとをマッチング比較し、マッチング比較結果を取得するステップは、
前記第１の無線ＬＡＮリストと前記第２の無線ＬＡＮリストにおける名称とが同様である項目の数を特定するステップと、
前記名称の同様である項目の数が前記第２の無線ＬＡＮリストの総数を占める割合を特定し、前記割合を前記第２の無線ＬＡＮに対するマッチング比較結果とするステップとを含むことを特徴とする請求項１に記載の方法。
【請求項８】
無線ＬＡＮ接続状態が未接続状態であり、且つ記憶情報中に名称が同様である第２の無線ＬＡＮの接続情報が含まれている第１の無線ＬＡＮを検出した場合、現在検出した周辺の無線ＬＡＮの名称に基づいて、第１の無線ＬＡＮリストを生成するための検索モジュールと、
前記第１の無線ＬＡＮリストと予め保存した第２の無線ＬＡＮの無線ＬＡＮリストである第２の無線ＬＡＮリストとをマッチングして比較し、マッチング比較結果を取得するためのマッチング比較モジュールと、
前記マッチング比較結果が所定の条件を満たす場合、予め保存した前記第２の無線ＬＡＮの接続情報に基づいて、前記第１の無線ＬＡＮに接続の要求を送信するための接続モジュールと、を含むことを特徴とする無線ＬＡＮ自動接続装置。
【請求項９】
さらに、
前記第２の無線ＬＡＮが接続状態である場合、現在周辺の無線ＬＡＮの名称を検索し、検出した周辺の無線ＬＡＮの名称に基づいて、前記第２の無線ＬＡＮに対応する第２の無線ＬＡＮリストを生成するための生成モジュールを含むことを特徴とする請求項８に記載の装置。
【請求項１０】
さらに、前記第１の無線ＬＡＮに接続の要求を送信し接続が成功した後、前記第１の無線ＬＡＮリストに基づいて、前記第２の無線ＬＡＮリストを更新するための更新モジュールを含むことを特徴とする請求項８に記載の装置。
【請求項１１】
前記更新モジュールは、
前記第１の無線ＬＡＮリストにおいて、前記第２の無線ＬＡＮリストに含まれていない項目を、前記第２の無線ＬＡＮリストに追加するための第１の更新ユニット、或いは、
前記第２の無線ＬＡＮリストを前記第１の無線ＬＡＮリストへ置換するための第２の更新ユニットを含むことを特徴とする請求項１０に記載の装置。
【請求項１２】
さらに、前記マッチング比較結果が前記所定の条件を満たさない場合、前記第１の無線ＬＡＮリストを記憶するための記憶モジュールを含むことを特徴とする請求項８に記載の装置。
【請求項１３】
前記接続モジュールは、
少なくとも２つの前記第２の無線ＬＡＮのマッチング比較結果が前記所定の条件を満たす場合、前記第２の無線ＬＡＮの接続情報の各々を逐一に利用して、接続が成功になるまで、或いはすべての前記接続情報が利用されるまで、前記第１の無線ＬＡＮに接続の要求を送信するための第１の接続ユニット、或いは、
少なくとも２つの前記第２の無線ＬＡＮのマッチング比較結果が前記所定の条件を満たすと、マッチング比較結果の大きさの順に従って、少なくとも２つの前記第２の無線ＬＡＮに対して順番を付け、前記第２の無線ＬＡＮの接続情報の各々を逐一に利用して、接続が成功になるまで、或いはすべての前記接続情報が利用されるまで、前記第１の無線ＬＡＮに接続の要求を送信するための第２の接続ユニットを含むことを特徴とする請求項８に記載の装置。
【請求項１４】
前記マッチング比較モジュールは、
前記第１の無線ＬＡＮリストと前記第２の無線ＬＡＮリストにおける名称とが同様である項目の数を特定し、前記名称の同様である項目の数が前記第２の無線ＬＡＮリストの総数を占める割合を特定し、前記割合を前記第２の無線ＬＡＮに対するマッチング比較結果とするためのマッチング比較ユニットを含む
ことを特徴とする請求項８に記載の装置。
【請求項１５】
プロセッサと、
プロセッサが実行可能な指令を記憶するためのメモリとを含み、
ここで、前記プロセッサは、
無線ＬＡＮ接続状態が未接続状態であり、且つ記憶情報中に名称が同様である第２の無線ＬＡＮの接続情報が含まれている第１の無線ＬＡＮを検出した場合、現在検出した周辺の無線ＬＡＮの名称に基づいて、第１の無線ＬＡＮリストを生成し、
前記第１の無線ＬＡＮリストと予め保存した第２の無線ＬＡＮの無線ＬＡＮリストである第２の無線ＬＡＮリストとをマッチングして比較し、マッチング比較結果を取得し、
前記マッチング比較結果が所定の条件を満たす場合、予め保存した前記第２の無線ＬＡＮの接続情報に基づいて、前記第１の無線ＬＡＮに接続の要求を送信することを特徴とする無線ＬＡＮ自動接続装置。
【発明の詳細な説明】
【技術分野】
【０００１】
本願は、出願番号がＣＮ２０１４１０３６０９０７．９であって、出願日が２０１４年７月２５日である中国特許出願に基づき優先権を主張し、当該中国特許出願のすべての内容を本願に援用する。
【０００２】
本開示は、通信技術分野に関し、特に、無線ＬＡＮ自動接続方法及び無線ＬＡＮ自動接続装置に関する。
【背景技術】
【０００３】
従来技術において、端末装置は、接続したことのある無線ＬＡＮの名称及びパスワードを記憶することで、当該無線ＬＡＮを再び検出した時に、記憶したパスワードで自動的に接続することができる。ここで、無線ＬＡＮは、ＷＩＦＩ（Ｗｉｒｅｌｅｓｓ  Ｆｉｄｅｌｉｔｙ）ネットワーク、及びＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１プロトコルに基づく各種のネットワークを含む。記憶したパスワードで自動的に接続するとき、現在検出した無線ＬＡＮと以前に接続したことのある無線ＬＡＮとが同一の無線ＬＡＮであるか否かを判定する必要がある。従来技術における判定方法は、前後の２つの無線ＬＡＮの名称が同様であるか否かを判定し、名称が同様であると、現在検出した無線ＬＡＮと以前に接続したことのある無線ＬＡＮとが同一の無線ＬＡＮであると判定する。
【０００４】
しかしながら、現実中、名称が同様な無線ＬＡＮが多く存在し、無線ＬＡＮの名称で前後の２つの無線ＬＡＮが同一の無線ＬＡＮであるか否かを判定する方法を利用すると、判定ミスが起こり、端末装置側で自動的に接続することが失敗してしまうことがある。通常、自動接続が失敗になると、端末装置は、ポップアップが次々に表示され、ユーザに改めてパスワードを入力させるように通知し、ユーザに迷惑をかける。
【発明の概要】
【０００５】
従来技術にある問題を解決するために、本開示の実施例は、以前に接続したことのある無線ＬＡＮと現在検出した無線ＬＡＮとが同一の無線ＬＡＮであるか否かを判定する正確率を高め、自動接続の失敗率を降下し、ユーザへの迷惑を減少するための無線ＬＡＮ自動接続方法及び無線ＬＡＮ自動接続装置を提供する。
【０００６】
本開示の実施例の第１の方面によれば、無線ＬＡＮ自動接続方法を提供し、当該無線ＬＡＮ自動接続方法は、無線ＬＡＮ接続状態が未接続状態であり、且つ記憶情報中に名称が同様である第２の無線ＬＡＮの接続情報が含まれている第１の無線ＬＡＮを検出した場合、現在検出した周辺の無線ＬＡＮの名称に基づいて、第１の無線ＬＡＮリストを生成するステップと、前記第１の無線ＬＡＮリストと予め保存した第２の無線ＬＡＮの無線ＬＡＮリストである第２の無線ＬＡＮリストとをマッチングして比較し、マッチング比較結果を取得ステップと、前記マッチング比較結果が所定の条件を満たす場合、予め保存した前記第２の無線ＬＡＮの接続情報に基づいて、前記第１の無線ＬＡＮに接続の要求を送信するステップとを含む。
【０００７】
一実施例において、前記第２の無線ＬＡＮリストを生成する方法は、前記第２の無線ＬＡＮが接続状態である場合、現在周辺の無線ＬＡＮの名称を検索するステップと、検出した周辺の無線ＬＡＮの名称に基づいて、前記第２の無線ＬＡＮに対応する第２の無線ＬＡＮリストを生成するステップとを含む。
【０００８】
一実施例において、前記方法は、さらに、前記第１の無線ＬＡＮに接続の要求を送信し接続が成功した後、前記第１の無線ＬＡＮリストに基づいて、前記第２の無線ＬＡＮリストを更新するステップを含む。
【０００９】
本実施例の有益な効果は、第２の無線ＬＡＮリストを更新することで、記憶された第２の無線ＬＡＮリストを改善することができ、改善後の第２の無線ＬＡＮリストを用いてマッチングし比較することにより得られたマッチング比較結果は、より正確になり、同一の無線ＬＡＮに対する判定の正確性を高め、自動接続の失敗率を降下する。
【００１０】
一実施例において、前記第１の無線ＬＡＮリストに基づいて、前記第２の無線ＬＡＮリストを更新するステップは、前記第１の無線ＬＡＮリストにおいて、前記第２の無線ＬＡＮリストに含まれていない項目を、前記第２の無線ＬＡＮリストに追加するステップ、或いは、前記第２の無線ＬＡＮリストを前記第１の無線ＬＡＮリストへ置換するステップを含む。
【００１１】
本実施例の有益な効果は、第１の無線ＬＡＮリストと第２の無線ＬＡＮリストとを合併することで、第２の無線ＬＡＮリストにおける項目を常に補充することができ、第２の無線ＬＡＮリストを完備させる。第２の無線ＬＡＮリストを第１の無線ＬＡＮリストへ置換することで、記憶された第１の無線ＬＡＮリストをリアルタイムに更新することができる。
【００１２】
一実施例において、前記方法は、さらに、前記マッチング比較結果が前記所定の条件を満たさない場合、前記第１の無線ＬＡＮリストを記憶するステップを含む。
【００１３】
本実施例の有益な効果は、マッチング比較結果が所定の条件を満たさないと、第２の無線ＬＡＮと異なり、現在検出した第１の無線ＬＡＮが新たに発見した無線ＬＡＮであり、当該第１の無線ＬＡＮが自分の無線ＬＡＮリストを有するため、第１の無線ＬＡＮリストを記憶し、後の操作において使用する。
【００１４】
一実施例において、少なくとも２つの前記第２の無線ＬＡＮのマッチング比較結果が前記所定の条件を満たす場合、前記予め保存した前記第２の無線ＬＡＮの接続情報に基づいて、前記第１の無線ＬＡＮに接続の要求を送信するステップは、前記第２の無線ＬＡＮの接続情報の各々を逐一に利用して、接続が成功になるまで、或いはすべての前記接続情報が利用されるまで、前記第１の無線ＬＡＮに接続の要求を送信するステップ、或いは、マッチング比較結果の大きさの順に従って、少なくとも２つの前記第２の無線ＬＡＮに対して順番を付け、前記第２の無線ＬＡＮの接続情報の各々を逐一に利用して、接続が成功になるまで、或いはすべての前記接続情報が利用されるまで、前記第１の無線ＬＡＮに接続の要求を送信するステップを含む。
【００１５】
本実施例の有益な効果は、第２の無線ＬＡＮに対して順番を付け、順番に従って、第２の無線ＬＡＮの接続パスワードを用いて自動的に接続し、接続パスワードで自動接続を試す回数を減らし、端末装置の自動接続操作の回数を減らし、端末装置の資源を節約することができる。
【００１６】
一実施例において、前記第１の無線ＬＡＮリストと予め保存した第２の無線ＬＡＮリストとをマッチング比較し、マッチング比較結果を取得するステップは、前記第１の無線ＬＡＮリストと前記第２の無線ＬＡＮリストにおける名称とが同様である項目の数を特定するステップと、前記名称の同様である項目の数が前記第２の無線ＬＡＮリストの総数を占める割合を特定し、前記割合を前記第２の無線ＬＡＮに対するマッチング比較結果とするステップとを含む。
【００１７】
本実施例の有益な効果は、２つの無線ＬＡＮリストにおける同様な項目の数をマッチング比較結果とする場合に比べて、当該実施例の実現形態により取得したマッチング比較結果は、２つの無線ＬＡＮリストのマッチング度合いをより正確に反映することができ、これにより、その後の同一の無線ＬＡＮに対する判定の正確性を高めることができ、自動接続の失敗率を降下できる。
【００１８】
本開示の実施例の第２の方面によれば、無線ＬＡＮ自動接続装置を提供し、当該無線ＬＡＮ自動接続装置は、無線ＬＡＮ接続状態が未接続状態であり、且つ記憶情報中に名称が同様である第２の無線ＬＡＮの接続情報が含まれている第１の無線ＬＡＮを検出した場合、現在検出した周辺の無線ＬＡＮの名称に基づいて、第１の無線ＬＡＮリストを生成するための検索モジュールと、前記第１の無線ＬＡＮリストと予め保存した第２の無線ＬＡＮの無線ＬＡＮリストである第２の無線ＬＡＮリストとをマッチングして比較し、マッチング比較結果を取得するためのマッチング比較モジュールと、前記マッチング比較結果が所定の条件を満たす場合、予め保存した前記第２の無線ＬＡＮの接続情報に基づいて、前記第１の無線ＬＡＮに接続の要求を送信するための接続モジュールと、を含む。
【００１９】
一実施例において、前記装置は、さらに、前記第２の無線ＬＡＮが接続状態である場合、現在周辺の無線ＬＡＮの名称を検索し、検出した周辺の無線ＬＡＮの名称に基づいて、前記第２の無線ＬＡＮに対応する第２の無線ＬＡＮリストを生成するための生成モジュールを含む。
【００２０】
一実施例において、前記装置は、さらに、前記第１の無線ＬＡＮに接続の要求を送信し接続が成功した後、前記第１の無線ＬＡＮリストに基づいて、前記第２の無線ＬＡＮリストを更新するための更新モジュールを含む。
【００２１】
一実施例において、前記更新モジュールは、前記第１の無線ＬＡＮリストにおいて、前記第２の無線ＬＡＮリストに含まれていない項目を、前記第２の無線ＬＡＮリストに追加するための第１の更新ユニット、或いは、前記第２の無線ＬＡＮリストを前記第１の無線ＬＡＮリストへ置換するための第２の更新ユニットを含む。
【００２２】
一実施例において、前記装置は、さらに、前記マッチング比較結果が前記所定の条件を満たさない場合、前記第１の無線ＬＡＮリストを記憶するための記憶モジュールを含む。
【００２３】
一実施例において、前記接続モジュールは、少なくとも２つの前記第２の無線ＬＡＮのマッチング比較結果が前記所定の条件を満たす場合、前記第２の無線ＬＡＮの接続情報の各々を逐一に利用して、接続が成功になるまで、或いはすべての前記接続情報が利用されるまで、前記第１の無線ＬＡＮに接続の要求を送信するための第１の接続ユニット、或いは、少なくとも２つの前記第２の無線ＬＡＮのマッチング比較結果が前記所定の条件を満たすと、マッチング比較結果の大きさの順に従って、少なくとも２つの前記第２の無線ＬＡＮに対して順番を付け、前記第２の無線ＬＡＮの接続情報の各々を逐一に利用して、接続が成功になるまで、或いはすべての前記接続情報が利用されるまで、前記第１の無線ＬＡＮに接続の要求を送信するための第２の接続ユニットを含む。
【００２４】
一実施例において、前記マッチング比較モジュールは、前記第１の無線ＬＡＮリストと前記第２の無線ＬＡＮリストにおける名称とが同様である項目の数を特定し、前記名称の同様である項目の数が前記第２の無線ＬＡＮリストの総数を占める割合を特定し、前記割合を前記第２の無線ＬＡＮに対するマッチング比較結果とするためのマッチング比較ユニットを含む。
【００２５】
本開示の実施例の第３の方面によれば、無線ＬＡＮ自動接続装置を提供し、当該無線ＬＡＮ自動接続装置は、プロセッサと、プロセッサが実行可能な指令を記憶するためのメモリとを含み、ここで、前記プロセッサは、無線ＬＡＮ接続状態が未接続状態であり、且つ記憶情報中に名称が同様である第２の無線ＬＡＮの接続情報が含まれている第１の無線ＬＡＮを検出した場合、現在検出した周辺の無線ＬＡＮの名称に基づいて、第１の無線ＬＡＮリストを生成し、前記第１の無線ＬＡＮリストと予め保存した第２の無線ＬＡＮの無線ＬＡＮリストである第２の無線ＬＡＮリストとをマッチングして比較し、マッチング比較結果を取得し、前記マッチング比較結果が所定の条件を満たす場合、予め保存した前記第２の無線ＬＡＮの接続情報に基づいて、前記第１の無線ＬＡＮに接続の要求を送信する。
【００２６】
本開示の実施例に係る技術方案は、以下の有益な効果を含む。同じ名称を有する無線ＬＡＮの無線ＬＡＮリストをマッチングして比較することで、マッチング比較結果に基づいて自動的に接続し、以前に接続した無線ＬＡＮと現在検出した無線ＬＡＮとが同一の無線ＬＡＮであるか否かを判定する正確率を高めることができ、名称が同様である異なる無線ＬＡＮが同一の無線ＬＡＮであると間違って判定する確率を降下するとともに、自動接続の失敗率を降下し、ユーザへの迷惑を減少する。
【００２７】
以上の一般の記述及び以下の詳細な記述は、例示のものであり、本開示を限定するものではない。
【図面の簡単な説明】
【００２８】
ここでの図面は、明細書の一部分として明細書全体を構成することにより、本開示に合致する実施例を例示するとともに、本開示の原理を解釈するためのものである。
【図１】例示的な実施例に係る無線ＬＡＮ自動接続方法を示すフローチャートである。
【図２】例示的な実施例１に係る無線ＬＡＮ自動接続方法を示すフローチャートである。
【図３】例示的な実施例２に係る無線ＬＡＮ自動接続方法を示すフローチャートである。
【図４】例示的な実施例に係る無線ＬＡＮ自動接続装置を示すブロック図である。
【図５】例示的な実施例に係る他の無線ＬＡＮ自動接続装置を示すブロック図である。
【図６Ａ】例示的な実施例に係る他の無線ＬＡＮ自動接続装置を示すブロック図である。
【図６Ｂ】例示的な実施例に係る他の無線ＬＡＮ自動接続装置を示すブロック図である。
【図７】例示的な実施例に係る他の無線ＬＡＮ自動接続装置を示すブロック図である。
【図８Ａ】例示的な実施例に係る他の無線ＬＡＮ自動接続装置を示すブロック図である。
【図８Ｂ】例示的な実施例に係る他の無線ＬＡＮ自動接続装置を示すブロック図である。
【図９】例示的な実施例に係る無線ＬＡＮ自動接続装置に適用されるブロック図である。
【発明を実施するための形態】
【００２９】
ここで、図面に示された例示的な実施例を詳細に説明する。以下の内容において、図面を言及するとき、特に説明しない限り、異なる図面における同じ数字が同一または同等の要素を示す。以下の例示的な実施例に記載の実施の形態は、本発明と一致するあらゆる実施の形態を代表するわけではない。逆に、それらは、添付された特許請求の範囲に詳細に記載される、本発明の一部の方面と一致する装置及び方法の例にすぎない。
【００３０】
図１は、例示的な実施例に係る無線ＬＡＮ自動接続方法を示すフローチャートであり、図１に示されるように、当該無線ＬＡＮ自動接続方法は、携帯電話や、タブレットＰＣや、ノートパソコンなどの無線ネットワークカードが搭載される端末装置に適用され、以下のステップＳ１０１−Ｓ１０４を含む。
【００３１】
ステップＳ１０１中、無線ＬＡＮ接続状態が未接続状態であり、且つ記憶情報中に名称が同様である第２の無線ＬＡＮの接続情報が含まれている第１の無線ＬＡＮを検出した場合、現在検出した周辺の無線ＬＡＮの名称に基づいて、第１の無線ＬＡＮリストを生成する。
【００３２】
ステップＳ１０２において、第１の無線ＬＡＮリストと予め保存した第２の無線ＬＡＮリストとをマッチングして比較し、マッチング比較結果を取得する。
【００３３】
ここで、第２の無線ＬＡＮリストは、第２の無線ＬＡＮの無線ＬＡＮリストである。
【００３４】
１つの実施例において、第２の無線ＬＡＮリストの生成方法は、第２の無線ＬＡＮが接続状態である場合、現在周辺の無線ＬＡＮの名称を検索するステップと、検出した周辺の無線ＬＡＮの名称に基づいて、第２の無線ＬＡＮに対応する第２の無線ＬＡＮリストを生成するステップとを含む。
【００３５】
例えば、現在検出した第１の無線ＬＡＮ名称がＤであり、その前にも、名称がＤである無線ＬＡＮに接続したことがあるが、当該接続したことのある名称がＤである無線ＬＡＮは、第２の無線ＬＡＮであり、記憶した情報には、第２の無線ＬＡＮの接続情報が含まれる。第２の無線ＬＡＮが接続状態である場合、現在周辺の無線ＬＡＮの名称を検索し、検出した周辺の無線ＬＡＮの名称に基づいて、第２の無線ＬＡＮに対応する第２の無線ＬＡＮリストを生成し、リストＬｉｓｔＤ２と記す。第１の無線ＬＡＮリストをリストＬｉｓｔＤ１と記し、ステップＳ１０２のように、リストＬｉｓｔＤ１とリストＬｉｓｔＤ２とをマッチングして比較し、第２の無線ＬＡＮに対するマッチング比較結果を取得する。
【００３６】
１つの実施例において、ステップＳ１０２は、以下のステップＡ１−Ａ２により実行される。
【００３７】
ステップＡ１において、第１の無線ＬＡＮリストと第２の無線ＬＡＮリストにおける名称が同様である項目の数を特定する。
【００３８】
ステップＡ２において、名称の同様である項目の数が第２の無線ＬＡＮリストの総数を占める割合を特定し、当該割合を第２の無線ＬＡＮに対するマッチング比較結果とする。
【００３９】
２つの無線ＬＡＮリストにおける同様な項目の数をマッチング比較結果とする場合に比べて、当該実施例の実現形態により取得したマッチング比較結果は、２つの無線ＬＡＮリストのマッチング度合いをより正確に反映することができ、これにより、その後の同一の無線ＬＡＮに対する判定の正確性を高めることができ、自動接続の失敗率を降下できる。
【００４０】
上記実施例における実施形態は、例示的な実施形態であり、他の形態でステップＳ１０２を実現することを制限しない。例えば、ステップＳ１０２は、第１の無線ＬＡＮリストと記憶された第２の無線ＬＡＮリストにおける名称が同様である項目の数を特定し、特定した名称の同様である項目の数を、第２の無線ＬＡＮに対するマッチング比較結果とするように実行される。又は、ステップＳ１０２は、第１の無線ＬＡＮリストと記憶された第２の無線ＬＡＮリストにおける名称が同様である項目の数を特定し、名称の同様である項目の数が第１の無線ＬＡＮリストにおける項目の総数を占める割合を特定し、特定した割合を第２の無線ＬＡＮに対するマッチング比較結果とするように実行される。
【００４１】
ステップＳ１０３において、マッチング比較結果が所定の条件を満たす場合、予め保存した第２の無線ＬＡＮの接続情報に基づいて、第１の無線ＬＡＮに接続の要求を送信する。
【００４２】
１つの実施例において、ステップＳ１０３は、マッチングして比較することにより取得した割合が所定の割合より大きい場合、マッチング比較結果が所定の条件を満たすと判定するように実行される。
【００４３】
例えば、第１の無線ＬＡＮリストがリストＬｉｓｔＤ１であり、第２の無線ＬＡＮリストがリストＬｉｓｔＤ２である。リストＬｉｓｔＤ１において、リストＬｉｓｔＤ２との同様な項目の数が７あり、リストＬｉｓｔＤ２の項目の総数が１０である。これにより、リストＬｉｓｔＤ１とリストＬｉｓｔＤ２とをマッチングして比較すると、リストＬｉｓｔＤ２に対するマッチング比較結果が７０％となることがわかる。設定された所定の割合が６０％であると、マッチング比較結果７０％が所定の割合６０％より大きいため、マッチング比較結果が所定の条件を満たすと判定できる。
【００４４】
ステップＳ１０３は、少なくとも２つの第２の無線ＬＡＮのマッチング比較結果が所定の条件を満たす場合、以下の実施例における技術方案により実行される。
【００４５】
１つの実施例において、ステップＳ１０３は、マッチング比較結果が所定の条件を満たす複数の第２の無線ＬＡＮの接続情報の各々を逐一に利用して、接続が成功になるまで、或いはすべての接続情報が利用されるまで、第１の無線ＬＡＮに接続の要求を送信するように実行される。
【００４６】
もう１つの実施例において、ステップＳ１０３は、マッチング比較結果の大きさの順に従って、マッチング比較結果が所定の条件を満たす複数の第２の無線ＬＡＮに対して順番を付け、第２の無線ＬＡＮの接続情報の各々を逐一に利用して、接続が成功になるまで、或いはすべての接続情報が利用されるまで、第１の無線ＬＡＮに接続の要求を送信するように実行される。
【００４７】
なお、本開示における実施形態は、上記実施例における技術方案に限らず、複数の第２の無線ＬＡＮが存在する場合、ステップＳ１０２−１０３は、第１の無線ＬＡＮリストと１つの第２の無線ＬＡＮリストとをマッチングして比較し、マッチング比較結果を取得し、マッチング比較結果が所定の条件を満たすと、当該第２の無線ＬＡＮの接続情報に基づいて、第１の無線ＬＡＮに接続の要求を送信し、マッチング比較結果が所定の条件を満たさない場合、第１の無線ＬＡＮリストと次の第２の無線ＬＡＮリストとをマッチングして比較し、上記操作を繰り返すように実行される。接続が成功になるまで、或いは各第２の無線ＬＡＮリストがすべてマッチングして比較されるまで、上記のように操作する。
【００４８】
このように、同じ名称を有する無線ＬＡＮの無線ＬＡＮリストをマッチングして比較することで、マッチング比較結果に基づいて自動的に接続し、以前に接続した無線ＬＡＮと現在検出した無線ＬＡＮとが同一の無線ＬＡＮであるか否かを判定する正確率を高めることができ、名称が同様である異なる無線ＬＡＮが同一の無線ＬＡＮであると間違って判定する確率を降下するとともに、自動接続の失敗率を降下し、ユーザへの迷惑を減少する。
【００４９】
１つの実施例において、第１の無線ＬＡＮリストを利用して第２の無線ＬＡＮリストを更新する。
【００５０】
上記方法は、さらに、第１の無線ＬＡＮに接続の要求を送信し接続が成功した後、第１の無線ＬＡＮリストに基づいて、第２の無線ＬＡＮリストを更新するステップを含む。
【００５１】
ここで、第１の無線ＬＡＮリストに基づいて、第２の無線ＬＡＮリストを更新するステップは、第１の無線ＬＡＮリストにおいて、第２の無線ＬＡＮリストに含まれていない項目を第２の無線ＬＡＮリストに追加するように実行される。
【００５２】
例えば、ステップＳ１０３において、記憶されたリストＬｉｓｔＤ２が第２の無線ＬＡＮリストであり、第１の無線ＬＡＮリストがリストＬｉｓｔＤ１であり、リストＬｉｓｔＤ１において、リストＬｉｓｔＤ２に含まれていない項目をリストＬｉｓｔＤ２に追加する。このように、記憶されたリストＬｉｓｔＤ２を完備し、完備されたリストＬｉｓｔＤ２でマッチングして比較することにより取得したマッチング比較結果は、より正確になり、同一の無線ＬＡＮに対する判定の正確性を高め、自動接続の失敗率を降下する。
【００５３】
上記実施形態は、例示的な実施形態であり、他の形態で第１の無線ＬＡＮリストに基づいて、第２の無線ＬＡＮリストを更新することを制限しない。例えば、第１の無線ＬＡＮリストに基づいて、第２の無線ＬＡＮリストを更新するステップは、第２の無線ＬＡＮリストを第１の無線ＬＡＮリストへ置換するように実行される。第２の無線ＬＡＮリストを第１の無線ＬＡＮリストへ置換することで、記憶された第１の無線ＬＡＮリストをリアルタイムに更新することができる。
【００５４】
１つの実施例において、上記方法は、さらに、マッチング比較結果が所定の条件を満たさない場合、第１の無線ＬＡＮリストを記憶するステップを含む。
【００５５】
上記ステップにおいて、記憶された第１の無線ＬＡＮリストは、後の操作で使用されることができる。
【００５６】
例えば、ステップＳ１０３において、マッチング比較結果が所定の条件を満たさない場合、自動接続の操作を起動せず、端末装置は、通知用ポップアップを表示し、接続パスワードを入力させることを通知する。
【００５７】
入力された接続パスワードで第１の無線ＬＡＮへの接続が成功した後、記憶された第１の無線ＬＡＮリストを第２の無線ＬＡＮリストとなる。
【００５８】
入力された接続パスワードで第１の無線ＬＡＮへの接続が失敗したとき、記憶された第１の無線ＬＡＮリストが検討待ちの無線ＬＡＮリストになり、現在検出した第１の無線ＬＡＮが検討待ちの無線ＬＡＮになる。無線ＬＡＮを再び検出したとき、再び検出した無線ＬＡＮの名称と上記検討待ちの無線ＬＡＮの名称が同様であると、検討待ちの無線ＬＡＮリストと再び検出した無線ＬＡＮの無線ＬＡＮリストとをマッチングして比較し、マッチング比較結果が所定の条件を満たすと、自動接続の操作を起動せず、端末装置は、通知用ポップアップを表示し、接続パスワードを入力させることを通知する。入力された接続パスワードで再び検出した無線ＬＡＮへの接続が成功した後、当該検討待ちの無線ＬＡＮリストが第２の無線ＬＡＮリストとなり、当該検討待ちの無線ＬＡＮが第２の無線ＬＡＮとなり、入力された接続パスワードを接続情報とする。また、再び検出した無線ＬＡＮの無線ＬＡＮリストに基づいて、上記検討待ちの無線ＬＡＮリストを更新する。
【００５９】
このように、マッチング比較結果が所定の条件を満たさないと、現在検出した第１の無線ＬＡＮと第２の無線ＬＡＮとは、名称が同様であっても、同一の無線ＬＡＮではなく、現在検出した第１の無線ＬＡＮが新たに発見した無線ＬＡＮであり、当該無線ＬＡＮに対応する無線ＬＡＮリストが存在するため、後の操作において使用するように、第１の無線ＬＡＮリストを記憶する。
【００６０】
以下、具体的な実施例を用いて、本開示の実施例に係る技術方案を説明する。
【００６１】
（実施例１）
実施例１は、本開示の実施例に係る上記方法を用いて、例えば携帯電話のような端末装置を無線ＬＡＮに自動的に接続させる。当該実施例１は、以下のような場面に適用される。例えば、端末装置は、名称Ａの第２の無線ＬＡＮへの接続が既に成功になり、名称をＷＩＦＩ  Ａと記し、当該第２の無線ＬＡＮが接続状態である場合、検出した無線ＬＡＮの名称に基づいて、例えばＷＩＦＩ  Ａ、ＷＩＦＩ  Ｂ、ＷＩＦＩ  Ｃ、ＷＩＦＩ  Ｄ、ＷＩＦＩ  Ｅの５つの無線ＬＡＮが含まれる第２の無線ＬＡＮリストＬｉｓｔＡ２を作成する。端末装置は、第２の無線ＬＡＮの名称ＷＩＦＩ  Ａ、ＷＩＦＩ  Ａの接続パスワード、及び第２の無線ＬＡＮリストＬｉｓｔＡ２を記憶する。図２に示されるように、次に、端末装置は、以下の操作を行う。
【００６２】
ステップＳ２０１において、無線ＬＡＮ接続状態が未接続状態で、且つ名称がＡである第１の無線ＬＡＮを検出した場合、現在検出した周辺の無線ＬＡＮの名称に基づいて、第１の無線ＬＡＮリストＬｉｓｔＡ１を生成する。
【００６３】
ステップＳ２０２において、第１の無線ＬＡＮリストＬｉｓｔＡ１と第２の無線ＬＡＮリストＬｉｓｔＡ２とをマッチングして比較し、名称が同様である項目の数を特定し、名称の同様である項目の数が第２の無線ＬＡＮリストＬｉｓｔＡ２における項目の総数を占める割合をマッチング比較結果とする。
【００６４】
ステップＳ２０３において、マッチング比較結果が設定された割合６０％より大きいか否かを判定し、マッチング比較結果が設定された割合６０％より大きいと、ステップＳ２０４を実行し、マッチング比較結果が設定された割合６０％以下であると、ステップＳ２０６を実行する。
【００６５】
ステップＳ２０４において、記憶された第２の無線ＬＡＮＷＩＦＩ  Ａの接続パスワードを利用し、第１の無線ＬＡＮに接続の要求を送信する。
【００６６】
ステップＳ２０５において、第１の無線ＬＡＮリストＬｉｓｔＡ１に基づいて、第２の無線ＬＡＮリストＬｉｓｔＡ２を更新する。
【００６７】
ステップＳ２０６において、マッチング比較結果が設定された割合６０％以下であると、第１の無線ＬＡＮに接続の要求を送信することを諦め、第１の無線ＬＡＮリストＬｉｓｔＡ１を記憶する。
【００６８】
本実施例１において、同じ名称を有する無線ＬＡＮの無線ＬＡＮリストをマッチングして比較することで、マッチング比較結果に基づいて自動的に接続し、以前に接続した無線ＬＡＮと現在検出した無線ＬＡＮとが同一の無線ＬＡＮであるか否かを判定する正確率を高めることができ、名称が同様である異なる無線ＬＡＮが同一の無線ＬＡＮであると間違って判定する確率を降下するとともに、自動接続の失敗率を降下し、ユーザへの迷惑を減少する。
【００６９】
（実施例２）
実施例２は、本開示の実施例に係る上記方法を用いて、例えば携帯電話のような端末装置を無線ＬＡＮに自動的に接続させる。当該実施例１は、以下のような場面に適用される。例えば、端末装置において、無線ＬＡＮの名称ＷＩＦＩ  Ｂに対して、接続パスワードＰａｓｓｗｏｒｄＢ１及び接続パスワードＰａｓｓｗｏｒｄＢ２の２つの接続パスワードが記憶され、接続パスワードＰａｓｓｗｏｒｄＢ１に対応して、第２の無線ＬＡＮリストＬｉｓｔＢ２１が記憶され、接続パスワードＰａｓｓｗｏｒｄＢ２に対応して、第２の無線ＬＡＮリストＬｉｓｔＢ２２が記憶される。図３に示されるように、次に、端末装置は、以下の操作を行う。
【００７０】
ステップＳ３０１において、無線ＬＡＮ接続状態が未接続状態で、且つ名称がＢである第１の無線ＬＡＮを検出した場合、現在検出した周辺の無線ＬＡＮの名称に基づいて、第１の無線ＬＡＮリストＬｉｓｔＢ１を生成する。
【００７１】
ステップＳ３０２において、第２の無線ＬＡＮリストＬｉｓｔＢ２１及びＬｉｓｔＢ２２をそれぞれ第１の無線ＬＡＮリストＬｉｓｔＢ１とマッチングして比較し、第２の無線ＬＡＮリストＬｉｓｔＢ２１及びＬｉｓｔＢ２２のそれぞれのマッチング比較結果を取得する。
【００７２】
第２の無線ＬＡＮリストＬｉｓｔＢ２１のマッチング比較結果は、マッチングした第２の無線ＬＡＮリストＬｉｓｔＢ２１と第１の無線ＬＡＮリストＬｉｓｔＢ１における名称の同様である項目の数が、第２の無線ＬＡＮリストＬｉｓｔＢ２１における項目の総数を占める割合となる。
【００７３】
第２の無線ＬＡＮリストＬｉｓｔＢ２２のマッチング比較結果は、マッチングした第２の無線ＬＡＮリストＬｉｓｔＢ２２と第１の無線ＬＡＮリストＬｉｓｔＢ１における名称の同様である項目の数が、第２の無線ＬＡＮリストＬｉｓｔＢ２２における項目の総数を占める割合となる。
【００７４】
ステップＳ３０３において、第２の無線ＬＡＮリストＬｉｓｔＢ２１及びＬｉｓｔＢ２２のそれぞれのマッチング比較結果を設定された割合６０％と比較する。
【００７５】
ステップＳ３０４において、２つのマッチング比較結果がいずれも所定の条件を満たさない場合、第１の無線ＬＡＮに接続の要求を送信することを諦め、第１の無線ＬＡＮリストＬｉｓｔＢ１を記憶する。
【００７６】
ステップＳ３０５において、所定の条件を満たすマッチング比較結果の数が１となると、記憶されたマッチング比較結果が所定の条件を満たす第２の無線ＬＡＮリストに対応する接続パスワードで、第１の無線ＬＡＮに接続の要求を送信するとともに、第１の無線ＬＡＮリストＬｉｓｔ  Ｂ１に基づいて、当該第２の無線ＬＡＮリストを更新する。
【００７７】
例えば、第２の無線ＬＡＮリストＬｉｓｔＢ２１のマッチング比較結果が所定の条件を満たすと、ステップＳ３０５において、記憶された第２の無線ＬＡＮリストＬｉｓｔＢ２１に対応する接続パスワードＰａｓｓｗｏｒｄＢ１で、第１の無線ＬＡＮに接続の要求を送信するとともに、第１の無線ＬＡＮリストＬｉｓｔ  Ｂ１に基づいて、第２の無線ＬＡＮリストＬｉｓｔＢ２１を更新する。
【００７８】
ステップＳ３０６において、所定の条件を満たすマッチング比較結果の数が２となると、マッチング比較結果の大きさの順に従って、第２の無線ＬＡＮリストＬｉｓｔＢ２１及びＬｉｓｔＢ２２に対して順番を付け、記憶された接続パスワードの各々を逐一に利用して、接続が成功になるまで、或いは２つの接続パスワードがいずれも利用されるまで、第１の無線ＬＡＮに接続の要求を送信する。
【００７９】
例えば、ステップＳ３０２において得られた第２の無線ＬＡＮリストＬｉｓｔＢ２１及びＬｉｓｔＢ２２のマッチング比較結果が、それぞれ８０％及び７０％であり、第２の無線ＬＡＮリストＬｉｓｔＢ２１とＬｉｓｔＢ２２に対して順番を付け、第２の無線ＬＡＮリストＬｉｓｔＢ２１に対応する接続パスワードＰａｓｓｗｏｒｄＢ１で第１の無線ＬＡＮに接続の要求を送信する。接続が成功になると、後のステップを実行し、接続が失敗になると、さらに、第２の無線ＬＡＮリストＬｉｓｔＢ２２に対応する接続パスワードＰａｓｓｗｏｒｄＢ２で、第１の無線ＬＡＮに接続の要求を送信する。
【００８０】
ステップＳ３０７において、第１の無線ＬＡＮに接続の要求を送信し、接続が成功した後、第１の無線ＬＡＮリストＬｉｓｔＢ１に基づいて、接続に使用される接続パスワードに対応する第２の無線ＬＡＮリストを更新する。
【００８１】
ステップＳ３０８において、第１の無線ＬＡＮに接続の要求を送信し、接続が失敗した後、第１の無線ＬＡＮリストＬｉｓｔＢ１を記憶する。
【００８２】
本実施例２において、同じ名称を有する無線ＬＡＮの無線ＬＡＮリストをマッチングして比較することで、マッチング比較結果に基づいて自動的に接続し、以前に接続した無線ＬＡＮと現在検出した無線ＬＡＮとが同一の無線ＬＡＮであるか否かを判定する正確率を高めることができ、名称が同様である異なる無線ＬＡＮが同一の無線ＬＡＮであると間違って判定する確率を降下するとともに、自動接続の失敗率を降下し、ユーザへの迷惑を減少する。
【００８３】
図４は、例示的な実施例に係る無線ＬＡＮ自動接続装置を示すブロック図である。図４に示されるように、当該無線ＬＡＮ自動接続装置は、無線ＬＡＮ接続状態が未接続状態で、且つ第１の無線ＬＡＮを検出した場合、現在検出した周辺の無線ＬＡＮの名称に基づいて、第１の無線ＬＡＮリストを生成するための検索モジュール４１と、第１の無線ＬＡＮリストと予め保存した第２の無線ＬＡＮの無線ＬＡＮリストである第２の無線ＬＡＮリストとをマッチングして比較し、マッチング比較結果を取得するためのマッチング比較モジュール４２と、マッチング比較結果が所定の条件を満たす場合、予め保存した第２の無線ＬＡＮの接続情報に基づいて、第１の無線ＬＡＮに接続の要求を送信するための接続モジュール４３と、を含む。
【００８４】
ここで、記憶された情報には、第１の無線ＬＡＮの名称と同様な第２の無線ＬＡＮの接続情報が含まれている。
【００８５】
１つの実施例において、図５に示されるように、上記装置は、さらに、第２の無線ＬＡＮが接続状態である場合、現在周辺の無線ＬＡＮの名称を検索し、検出した周辺の無線ＬＡＮの名称に基づいて、第２の無線ＬＡＮに対応する第２の無線ＬＡＮリストを生成するための生成モジュール４４を含む。
【００８６】
１つの実施例において、図６Ａ和図６Ｂに示されるように、上記装置は、さらに、第１の無線ＬＡＮに接続の要求を送信し接続が成功した後、第１の無線ＬＡＮリストに基づいて、第２の無線ＬＡＮリストを更新するための更新モジュール４５を含む。
【００８７】
１つの実施例において、図６Ａ和図６Ｂに示されるように、上記更新モジュール４５は、第１の無線ＬＡＮリストにおいて、第２の無線ＬＡＮリストに含まれていない項目を、第２の無線ＬＡＮリストに追加するための第１の更新ユニット４５１、或いは、第２の無線ＬＡＮリストを第１の無線ＬＡＮリストへ置換するための第２の更新ユニット４５２を含む。
【００８８】
１つの実施例において、図７に示されるように、上記装置は、さらに、マッチング比較結果が所定の条件を満たさない場合、第１の無線ＬＡＮリストを記憶するための記憶モジュール４６を含む。
【００８９】
１つの実施例において、図８Ａ和８Ｂに示されるように、上記接続モジュール４３は、少なくとも２つの第２の無線ＬＡＮのマッチング比較結果が所定の条件を満たすと、第２の無線ＬＡＮの接続情報の各々を逐一に利用して、接続が成功になるまで、或いはすべての接続情報が利用されるまで、第１の無線ＬＡＮに接続の要求を送信するための第１の接続ユニット４３１、或いは、少なくとも２つの第２の無線ＬＡＮのマッチング比較結果が所定の条件を満たすと、マッチング比較結果の大きさの順に従って、少なくとも２つの第２の無線ＬＡＮに対して順番を付け、第２の無線ＬＡＮの接続情報の各々を逐一に利用して、接続が成功になるまで、或いはすべての接続情報が利用されるまで、第１の無線ＬＡＮに接続の要求を送信するための第２の接続ユニット４３２、を含む。
【００９０】
１つの実施例において、図４に示されるように、上記マッチング比較モジュール４２は、第１の無線ＬＡＮリストと第２の無線ＬＡＮリストにおける名称が同様である項目の数を特定し、名称の同様である項目の数が第２の無線ＬＡＮリストの総数を占める割合を特定し、割合を第２の無線ＬＡＮに対するマッチング比較結果とするためのマッチング比較ユニット４２１を含む。
【００９１】
本開示の実施例に係る無線ＬＡＮ自動接続装置によれば、同じ名称を有する無線ＬＡＮの無線ＬＡＮリストをマッチングして比較することで、マッチング比較結果に基づいて自動的に接続し、以前に接続した無線ＬＡＮと現在検出した無線ＬＡＮとが同一の無線ＬＡＮであるか否かを判定する正確率を高めることができ、名称が同様である異なる無線ＬＡＮが同一の無線ＬＡＮであると間違って判定する確率を降下するとともに、自動接続の失敗率を降下し、ユーザへの迷惑を減少する。
【００９２】
上記実施例に係る装置について、各モジュールが操作を実行する具体的な形態は、すでに該当する方法の実施例において詳細に説明され、ここで、詳しく説明しない。
【００９３】
図９は、例示的な実施例に係る無線ＬＡＮ自動接続装置１２００に適用されるブロック図であり、当該装置は、端末装置であってもよい。例えば、装置１２００は、携帯電話、コンピュータ、デジタル放送端末、メッセージ送受信デバイス、ゲームコンソール、タブレットデバイス、医療機器、フィットネス機器、パーソナルデジタルアシスタント等であってもよい。
【００９４】
図９を参照して、装置１２００は、プロセスアセンブリ１２０２、メモリ１２０４、電源アセンブリ１２０６、マルチメディアアセンブリ１２０８、オーディオアセンブリ１２１０、入出力（Ｉ／Ｏ）インターフェイス１２１２、センサアセンブリ１２１４、及び通信アセンブリ１２１６のような一つ以上のアセンブリを含んでよい。
【００９５】
プロセスアセンブリ１２０２は、一般的には装置１２００の全体の操作を制御するものであり、例えば、表示、電話呼び出し、データ通信、カメラ操作、及び記録操作と関連する操作を制御する。プロセスアセンブリ１２０２は、一つ以上のプロセッサ１２２０を含み、これらによって命令を実行することにより、上記の方法の全部、或は一部のステップを実現するようにしてもよい。なお、プロセスアセンブリ１２０２は、一つ以上のモジュールを含み、これらによってプロセスアセンブリ１２０２と他のアセンブリの間のインタラクションを容易にするようにしてもよい。例えば、プロセスアセンブリ１２０２は、マルチメディアモジュールを含み、これらによってマルチメディアアセンブリ１２０８とプロセスアセンブリ１２０２の間のインタラクションを容易にするようにしてもよい。
【００９６】
メモリ１２０４は、各種類のデータを記憶することにより装置１２００の操作を支援するように構成される。これらのデータの例は、装置１２００において操作されるいずれのアプリケーションプログラム又は方法の命令、連絡対象データ、電話帳データ、メッセージ、画像、ビデオ等を含む。メモリ１２０４は、いずれの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、或いは光ディスクである。
【００９７】
電源アセンブリ１２０６は、装置１２００の多様なアセンブリに電力を供給する。電源アセンブリ１２０６は、電源管理システム、一つ以上の電源、及び装置１２００のための電気の生成、管理及び割り当てに関連する他のアセンブリを含んでもよい。
【００９８】
マルチメディアアセンブリ１２０８は、前記装置１２００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或はスライドの動作の境界だけでなく、前記のタッチ、或はスライド操作に係る継続時間及び圧力も検出できる。上記の実施例において、マルチメディアアセンブリ１２０８は、一つのフロントカメラ、及び／又はリアカメラを含む。装置１２００が、例えば撮影モード、或はビデオモード等の操作モードにある場合、フロントカメラ、及び／又はリアカメラは外部からマルチメディアデータを受信できる。フロントカメラとリアカメラのそれぞれは、一つの固定型の光レンズ系、或いは可変焦点距離と光学ズーム機能を有するものであってもよい。
【００９９】
オーディオアセンブリ１２１０は、オーディオ信号を入出力するように構成されてもよい。例えば、オーディオアセンブリ１２１０は、一つのマイク（ＭＩＣ）を含み、装置１２００が、例えば呼出しモード、記録モード、及び音声認識モード等の操作モードにある場合、マイクは外部のオーディオ信号を受信することができる。受信されたオーディオ信号は、さらにメモリ１２０４に記憶されたり、通信アセンブリ１２１６を介して送信されたりされる。上記の実施例において、オーディオアセンブリ１２１０は、オーディオ信号を出力するための一つのスピーカーをさらに含む。
【０１００】
Ｉ／Ｏインターフェイス１２１２は、プロセスアセンブリ１２０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【０１０１】
センサアセンブリ１２１４は、装置１２００に各方面の状態に対する評価を提供するための一つ以上のセンサを含む。例えば、センサアセンブリ１２１４は、装置１２００のＯＮ／ＯＦＦ状態、装置１２００のディスプレイとキーパッドのようなアセンブリの相対的な位置決めを検出できる。また、例えば、センサアセンブリ１２１４は、装置１２００、或は装置１２００の一つのアセンブリの位置変更、ユーザと装置１２００とが接触しているか否か、装置１２００の方位、又は加速／減速、装置１２００の温度の変化を検出できる。センサアセンブリ１２１４は、何れの物理的接触がない状態にて付近の物体の存在を検出するための近接センサを含んでもよい。センサアセンブリ１２１４は、撮影アプリケーションに適用するため、ＣＭＯＳ、又はＣＣＤ図像センサのような光センサを含んでもよい。上記の実施例において、当該センサアセンブリ１２１４は、加速度センサ、ジャイロスコープセンサ、磁気センサ、圧力センサ、及び温度センサをさらに含んでもよい。
【０１０２】
通信アセンブリ１２１６は、装置１２００と他の機器の間に有線、又は无線形態の通信を提供する。装置１２００は、例えばＷｉＦｉ、２Ｇ、３Ｇ、或はこれらの組み合わせのような、通信規格に基づいた无線ネットワークに接続されてもよい。一つの例示的な実施例において、通信アセンブリ１２１６は、放送チャンネルを介して外部の放送管理システムからの放送信号、又は放送に関連する情報を受信する。一つの例示的な実施例において、前記通信アセンブリ１２１６は、近距離無線通信（ＮＦＣ）モジュールをさらに含むことにより、近距離通信を推進するようにする。例えば、ＮＦＣモジュールは、ＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ（登録商標））技術、他の技術に基づいて実現できる。
【０１０３】
例示的な実施例において、装置１２００は、一つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記方法を実行する。
【０１０４】
例示的な実施例において、さらに、命令を含む非一時的なコンピュータで読み取り可能な記憶媒体、例えば命令を含むメモリ１２０４を提供しており、装置１２００のプロセッサ１２２０により上記命令を実行して上記方法を実現する。例えば、前記非一時的なコンピュータで読み取り可能な記憶媒体は、ＲＯＭ、ＲＡＭ（Ｒａｎｄｏｍ−Ａｃｃｅｓｓ  Ｍｅｍｏｒｙ）、ＣＤ−ＲＯＭ（Ｃｏｍｐａｃｔ  Ｄｉｓｃ  ＲＯＭ）、磁気テープ、フロッピー（登録商標）ディスク、光データ記憶デバイス等である。
【０１０５】
無線ＬＡＮ自動接続装置は、プロセッサと、プロセッサが実行可能な指令を記憶するためのメモリとを含み、ここで、前記プロセッサは、無線ＬＡＮ接続状態が未接続状態であり、且つ記憶情報中に名称が同様である第２の無線ＬＡＮの接続情報が含まれている第１の無線ＬＡＮを検出した場合、現在検出した周辺の無線ＬＡＮの名称に基づいて、第１の無線ＬＡＮリストを生成し、前記第１の無線ＬＡＮリストと予め保存した第２の無線ＬＡＮの無線ＬＡＮリストである第２の無線ＬＡＮリストとをマッチングして比較し、マッチング比較結果を取得し、前記マッチング比較結果が所定の条件を満たす場合、予め保存した前記第２の無線ＬＡＮの接続情報に基づいて、前記第１の無線ＬＡＮに接続の要求を送信する。
【０１０６】
当該プロセッサは、さらに、前記第２の無線ＬＡＮが接続状態である場合、現在周辺の無線ＬＡＮの名称を検索し、検出した周辺の無線ＬＡＮの名称に基づいて、前記第２の無線ＬＡＮに対応する第２の無線ＬＡＮリストを生成する。
【０１０７】
当該プロセッサは、さらに、前記第１の無線ＬＡＮに接続の要求を送信し接続が成功した後、前記第１の無線ＬＡＮリストに基づいて、前記第２の無線ＬＡＮリストを更新する。
【０１０８】
当該プロセッサは、さらに、前記第１の無線ＬＡＮリストにおいて、前記第２の無線ＬＡＮリストに含まれていない項目を、前記第２の無線ＬＡＮリストに追加し、或いは、前記第２の無線ＬＡＮリストを前記第１の無線ＬＡＮリストへ置換する。
【０１０９】
当該プロセッサは、さらに、前記マッチング比較結果が前記所定の条件を満たさない場合、前記第１の無線ＬＡＮリストを記憶する。
【０１１０】
当該プロセッサは、さらに、少なくとも２つの前記第２の無線ＬＡＮのマッチング比較結果が前記所定の条件を満たすと、前記第２の無線ＬＡＮの接続情報の各々を逐一に利用して、接続が成功になるまで、或いはすべての前記接続情報が利用されるまで、前記第１の無線ＬＡＮに接続の要求を送信し、或いは、少なくとも２つの前記第２の無線ＬＡＮのマッチング比較結果が前記所定の条件を満たすと、マッチング比較結果の大きさの順に従って、少なくとも２つの前記第２の無線ＬＡＮに対して順番を付け、前記第２の無線ＬＡＮの接続情報の各々を逐一に利用して、接続が成功になるまで、或いはすべての前記接続情報が利用されるまで、前記第１の無線ＬＡＮに接続の要求を送信する。
【０１１１】
当該プロセッサは、さらに、前記第１の無線ＬＡＮリストと前記第２の無線ＬＡＮリストにおける名称が同様である項目の数を特定し、前記名称の同様である項目の数が前記第２の無線ＬＡＮリストの総数を占める割合を特定し、前記割合を前記第２の無線ＬＡＮに対するマッチング比較結果とする。
【０１１２】
非一時的なコンピュータで読み取り可能な記憶媒体は、当該記録媒体中の指令がモバイル端末のプロセッサによって実行される際に、モバイル端末に無線ＬＡＮ自動接続方法を実行させることができる。前記方法は、無線ＬＡＮ接続状態が未接続状態であり、且つ記憶情報中に名称が同様である第２の無線ＬＡＮの接続情報が含まれている第１の無線ＬＡＮを検出した場合、現在検出した周辺の無線ＬＡＮの名称に基づいて、第１の無線ＬＡＮリストを生成するステップと、前記第１の無線ＬＡＮリストと予め保存した、第２の無線ＬＡＮの無線ＬＡＮリストである第２の無線ＬＡＮリストとをマッチングして比較し、マッチング比較結果を取得するステップと、前記マッチング比較結果が所定の条件を満たす場合、予め保存した前記第２の無線ＬＡＮの接続情報に基づいて、前記第１の無線ＬＡＮに接続の要求を送信するステップとを含む。
【０１１３】
前記第２の無線ＬＡＮリストを生成する方法は、前記第２の無線ＬＡＮが接続状態である場合、現在周辺の無線ＬＡＮの名称を検索するステップと、検出した周辺の無線ＬＡＮの名称に基づいて、前記第２の無線ＬＡＮに対応する第２の無線ＬＡＮリストを生成するステップとを含む。
【０１１４】
前記方法は、さらに、前記第１の無線ＬＡＮに接続の要求を送信し接続が成功した後、前記第１の無線ＬＡＮリストに基づいて、前記第２の無線ＬＡＮリストを更新するステップを含む。
【０１１５】
前記第１の無線ＬＡＮリストに基づいて、前記第２の無線ＬＡＮリストを更新するステップは、前記第１の無線ＬＡＮリストにおいて、前記第２の無線ＬＡＮリストに含まれていない項目を、前記第２の無線ＬＡＮリストに追加するステップ、或いは、前記第２の無線ＬＡＮリストを前記第１の無線ＬＡＮリストへ置換するステップを含む。
【０１１６】
前記方法は、さらに、前記マッチング比較結果が前記所定の条件を満たさない場合、前記第１の無線ＬＡＮリストを記憶するステップを含む。
【０１１７】
少なくとも２つの前記第２の無線ＬＡＮのマッチング比較結果が前記所定の条件を満たすと、前記予め保存した前記第２の無線ＬＡＮの接続情報に基づいて、前記第１の無線ＬＡＮに接続の要求を送信するステップは、前記第２の無線ＬＡＮの接続情報の各々を逐一に利用して、接続が成功になるまで、或いはすべての前記接続情報が利用されるまで、前記第１の無線ＬＡＮに接続の要求を送信するステップ、或いは、マッチング比較結果の大きさの順に従って、少なくとも２つの前記第２の無線ＬＡＮに対して順番を付け、前記第２の無線ＬＡＮの接続情報の各々を逐一に利用して、接続が成功になるまで、或いはすべての前記接続情報が利用されるまで、前記第１の無線ＬＡＮに接続の要求を送信するステップを含む。
【０１１８】
前記第１の無線ＬＡＮリストと予め保存した第２の無線ＬＡＮリストとをマッチング比較し、マッチング比較結果を取得するステップは、前記第１の無線ＬＡＮリストと前記第２の無線ＬＡＮリストにおける名称が同様である項目の数を特定するステップと、前記名称の同様である項目の数が前記第２の無線ＬＡＮリストの総数を占める割合を特定し、前記割合を前記第２の無線ＬＡＮに対するマッチング比較結果とするステップとを含む。
【０１１９】
当業者は、本明細書に開示された発明の詳細を考慮し、実施することにより、本発明の他の実施方案を容易に想定することができる。本出願は、本発明のいかなる変形、用途、又は適応的な変化を含むことを目的としており、いかなる変形、用途、又は適応的な変化は、本発明の一般原理に基づき、且つ本開示において公開されていない本技術分野においての公知常識又は慣用技術手段を含む。明細書及び実施例は、例示的なものを開示しており、本発明の保護範囲と主旨は、特許請求の範囲に記述される。
【０１２０】
本発明は、上記において開示された構成又は図面に示した構造に限定されるものではなく、本発明の範囲内であれば、様々な補正又は変更を行うことができる。本発明の範囲は、特許請求の範囲により制限される。
【図１】
2016534624.tif 000003
【図２】
2016534624.tif 000004
【図３】
2016534624.tif 000005
【図４】
2016534624.tif 000006
【図５】
2016534624.tif 000007
【図６Ａ】
2016534624.tif 000008
【図６Ｂ】
2016534624.tif 000009
【図７】
2016534624.tif 000010
【図８Ａ】
2016534624.tif 000011
【図８Ｂ】
2016534624.tif 000012
【図９】
2016534624.tif 000013
【手続補正書】
【提出日】平成27年1月8日(2015.1.8)
【手続補正２】
【補正対象書類名】明細書
【補正対象項目名】０００２
【補正方法】変更
【補正の内容】
【０００２】
本開示は、通信技術分野に関し、特に、無線ＬＡＮ自動接続方法、無線ＬＡＮ自動接続装置、プログラム及び記録媒体に関する。
【手続補正３】
【補正対象書類名】明細書
【補正対象項目名】０００５
【補正方法】変更
【補正の内容】
【０００５】
従来技術にある問題を解決するために、本開示の実施例は、以前に接続したことのある無線ＬＡＮと現在検出した無線ＬＡＮとが同一の無線ＬＡＮであるか否かを判定する正確率を高め、自動接続の失敗率を降下し、ユーザへの迷惑を減少するための無線ＬＡＮ自動接続方法、無線ＬＡＮ自動接続装置、プログラム及び記録媒体を提供する。
【手続補正４】
【補正対象書類名】明細書
【補正対象項目名】００２５
【補正方法】変更
【補正の内容】
【００２５】
本開示の実施例の第３の方面によれば、無線ＬＡＮ自動接続装置を提供し、当該無線ＬＡＮ自動接続装置は、プロセッサと、プロセッサが実行可能な指令を記憶するためのメモリとを含み、ここで、前記プロセッサは、無線ＬＡＮ接続状態が未接続状態であり、且つ記憶情報中に名称が同様である第２の無線ＬＡＮの接続情報が含まれている第１の無線ＬＡＮを検出した場合、現在検出した周辺の無線ＬＡＮの名称に基づいて、第１の無線ＬＡＮリストを生成し、前記第１の無線ＬＡＮリストと予め保存した第２の無線ＬＡＮの無線ＬＡＮリストである第２の無線ＬＡＮリストとをマッチングして比較し、マッチング比較結果を取得し、前記マッチング比較結果が所定の条件を満たす場合、予め保存した前記第２の無線ＬＡＮの接続情報に基づいて、前記第１の無線ＬＡＮに接続の要求を送信する。本開示の実施例の第４の方面によれば、プロセッサに実行されることにより、前記無線ＬＡＮ自動接続方法を実現するプログラムを提供する。本開示の実施例の第５の方面によれば、前記プログラムを記録した記録媒体を提供する。
【手続補正５】
【補正対象書類名】特許請求の範囲
【補正対象項目名】全文
【補正方法】変更
【補正の内容】
【特許請求の範囲】
【請求項１】
無線ＬＡＮ接続状態が未接続状態であり、且つ記憶情報中に名称が同様である第２の無線ＬＡＮの接続情報が含まれている第１の無線ＬＡＮを検出した場合、現在検出した周辺の無線ＬＡＮの名称に基づいて、第１の無線ＬＡＮリストを生成するステップと、
前記第１の無線ＬＡＮリストと予め保存した第２の無線ＬＡＮの無線ＬＡＮリストである第２の無線ＬＡＮリストとをマッチングして比較し、マッチング比較結果を取得ステップと、
前記マッチング比較結果が所定の条件を満たす場合、予め保存した前記第２の無線ＬＡＮの接続情報に基づいて、前記第１の無線ＬＡＮに接続の要求を送信するステップとを含むことを特徴とする無線ＬＡＮ自動接続方法。
【請求項２】
前記第２の無線ＬＡＮリストを生成する方法は、
前記第２の無線ＬＡＮが接続状態である場合、現在周辺の無線ＬＡＮの名称を検索するステップと、
検出した周辺の無線ＬＡＮの名称に基づいて、前記第２の無線ＬＡＮに対応する第２の無線ＬＡＮリストを生成するステップとを含むことを特徴とする請求項１に記載の方法。
【請求項３】
さらに、前記第１の無線ＬＡＮに接続の要求を送信し接続が成功した後、前記第１の無線ＬＡＮリストに基づいて、前記第２の無線ＬＡＮリストを更新するステップを含むことを特徴とする請求項１に記載の方法。
【請求項４】
前記第１の無線ＬＡＮリストに基づいて、前記第２の無線ＬＡＮリストを更新するステップは、
前記第１の無線ＬＡＮリストにおいて、前記第２の無線ＬＡＮリストに含まれていない項目を、前記第２の無線ＬＡＮリストに追加するステップ、或いは、前記第２の無線ＬＡＮリストを前記第１の無線ＬＡＮリストへ置換するステップを含むことを特徴とする請求項３に記載の方法。
【請求項５】
さらに、前記マッチング比較結果が前記所定の条件を満たさない場合、前記第１の無線ＬＡＮリストを記憶するステップを含むことを特徴とする請求項１に記載の方法。
【請求項６】
少なくとも２つの前記第２の無線ＬＡＮのマッチング比較結果が前記所定の条件を満たす場合、前記予め保存した前記第２の無線ＬＡＮの接続情報に基づいて、前記第１の無線ＬＡＮに接続の要求を送信するステップは、
前記第２の無線ＬＡＮの接続情報の各々を逐一に利用して、接続が成功になるまで、或いはすべての前記接続情報が利用されるまで、前記第１の無線ＬＡＮに接続の要求を送信するステップ、或いは、
マッチング比較結果の大きさの順に従って、少なくとも２つの前記第２の無線ＬＡＮに対して順番を付け、前記第２の無線ＬＡＮの接続情報の各々を逐一に利用して、接続が成功になるまで、或いはすべての前記接続情報が利用されるまで、前記第１の無線ＬＡＮに接続の要求を送信するステップを含むことを特徴とする請求項１に記載の方法。
【請求項７】
前記第１の無線ＬＡＮリストと予め保存した第２の無線ＬＡＮリストとをマッチング比較し、マッチング比較結果を取得するステップは、
前記第１の無線ＬＡＮリストと前記第２の無線ＬＡＮリストにおける名称とが同様である項目の数を特定するステップと、
前記名称の同様である項目の数が前記第２の無線ＬＡＮリストの総数を占める割合を特定し、前記割合を前記第２の無線ＬＡＮに対するマッチング比較結果とするステップとを含むことを特徴とする請求項１に記載の方法。
【請求項８】
無線ＬＡＮ接続状態が未接続状態であり、且つ記憶情報中に名称が同様である第２の無線ＬＡＮの接続情報が含まれている第１の無線ＬＡＮを検出した場合、現在検出した周辺の無線ＬＡＮの名称に基づいて、第１の無線ＬＡＮリストを生成するための検索モジュールと、
前記第１の無線ＬＡＮリストと予め保存した第２の無線ＬＡＮの無線ＬＡＮリストである第２の無線ＬＡＮリストとをマッチングして比較し、マッチング比較結果を取得するためのマッチング比較モジュールと、
前記マッチング比較結果が所定の条件を満たす場合、予め保存した前記第２の無線ＬＡＮの接続情報に基づいて、前記第１の無線ＬＡＮに接続の要求を送信するための接続モジュールと、を含むことを特徴とする無線ＬＡＮ自動接続装置。
【請求項９】
さらに、
前記第２の無線ＬＡＮが接続状態である場合、現在周辺の無線ＬＡＮの名称を検索し、検出した周辺の無線ＬＡＮの名称に基づいて、前記第２の無線ＬＡＮに対応する第２の無線ＬＡＮリストを生成するための生成モジュールを含むことを特徴とする請求項８に記載の装置。
【請求項１０】
さらに、前記第１の無線ＬＡＮに接続の要求を送信し接続が成功した後、前記第１の無線ＬＡＮリストに基づいて、前記第２の無線ＬＡＮリストを更新するための更新モジュールを含むことを特徴とする請求項８に記載の装置。
【請求項１１】
前記更新モジュールは、
前記第１の無線ＬＡＮリストにおいて、前記第２の無線ＬＡＮリストに含まれていない項目を、前記第２の無線ＬＡＮリストに追加するための第１の更新ユニット、或いは、
前記第２の無線ＬＡＮリストを前記第１の無線ＬＡＮリストへ置換するための第２の更新ユニットを含むことを特徴とする請求項１０に記載の装置。
【請求項１２】
さらに、前記マッチング比較結果が前記所定の条件を満たさない場合、前記第１の無線ＬＡＮリストを記憶するための記憶モジュールを含むことを特徴とする請求項８に記載の装置。
【請求項１３】
前記接続モジュールは、
少なくとも２つの前記第２の無線ＬＡＮのマッチング比較結果が前記所定の条件を満たす場合、前記第２の無線ＬＡＮの接続情報の各々を逐一に利用して、接続が成功になるまで、或いはすべての前記接続情報が利用されるまで、前記第１の無線ＬＡＮに接続の要求を送信するための第１の接続ユニット、或いは、
少なくとも２つの前記第２の無線ＬＡＮのマッチング比較結果が前記所定の条件を満たすと、マッチング比較結果の大きさの順に従って、少なくとも２つの前記第２の無線ＬＡＮに対して順番を付け、前記第２の無線ＬＡＮの接続情報の各々を逐一に利用して、接続が成功になるまで、或いはすべての前記接続情報が利用されるまで、前記第１の無線ＬＡＮに接続の要求を送信するための第２の接続ユニットを含むことを特徴とする請求項８に記載の装置。
【請求項１４】
前記マッチング比較モジュールは、
前記第１の無線ＬＡＮリストと前記第２の無線ＬＡＮリストにおける名称とが同様である項目の数を特定し、前記名称の同様である項目の数が前記第２の無線ＬＡＮリストの総数を占める割合を特定し、前記割合を前記第２の無線ＬＡＮに対するマッチング比較結果とするためのマッチング比較ユニットを含む
ことを特徴とする請求項８に記載の装置。
【請求項１５】
プロセッサと、
プロセッサが実行可能な指令を記憶するためのメモリとを含み、
ここで、前記プロセッサは、
無線ＬＡＮ接続状態が未接続状態であり、且つ記憶情報中に名称が同様である第２の無線ＬＡＮの接続情報が含まれている第１の無線ＬＡＮを検出した場合、現在検出した周辺の無線ＬＡＮの名称に基づいて、第１の無線ＬＡＮリストを生成し、
前記第１の無線ＬＡＮリストと予め保存した第２の無線ＬＡＮの無線ＬＡＮリストである第２の無線ＬＡＮリストとをマッチングして比較し、マッチング比較結果を取得し、
前記マッチング比較結果が所定の条件を満たす場合、予め保存した前記第２の無線ＬＡＮの接続情報に基づいて、前記第１の無線ＬＡＮに接続の要求を送信することを特徴とする無線ＬＡＮ自動接続装置。
【請求項１６】
プロセッサに実行されることにより、請求項１乃至７のいずれか１項に記載の無線ＬＡＮ自動接続方法を実現することを特徴とするプログラム。
【請求項１７】
請求項１６に記載のプログラムが記録された記録媒体。
【国際調査報告】
2016534624.tif 000014
2016534624.tif 000015
2016534624.tif 000016
2016534624.tif 000017